(57)【要約】【課題】  表示装置のコントローラの消費電力を低減できて、低消費電力化できる表示装置を実現する。【解決手段】  予め定めた参照対象となる参照画像データと、表示しようとする画像データとについて、所定期間で比較する比較回路１１を設ける。上記比較が一致した場合は表示を更新しない非更新用データを出力するデータ変換回路１３を設ける。【選択図】  図１
2006126353.tif 000002
【特許請求の範囲】
【請求項１】
入力される画像データに対応して表示するための表示装置において、
予め定めた参照対象となる参照画像データと、表示しようとする画像データとについて、所定期間で比較する比較機能部と、
上記比較が一致した場合は表示を更新しない非更新用データを出力する変換機能部とを備えていることを特徴とする表示装置。
【請求項２】
さらに、前記参照画像データを比較機能部に入力するための入力機能部を備えていることを特徴とする請求項１項記載の表示装置。
【請求項３】
さらに、前記表示しようとする画像データを遅延させて変換機能部に入力するための遅延機能部を備えていることを特徴とする請求項１または２記載の表示装置。
【請求項４】
さらに、前記変換機能部から出力される画像データを使用して画像データ信号を作成し、上記作成された画像データ信号に基づき画像表示のための駆動信号を出力するための駆動信号出力部と、
上記駆動信号出力部から出力される駆動信号に応じて画像を表示する表示機能部とを備えていることを特徴とする請求項１ないし３の何れか１項に記載の表示装置。
【請求項５】
前記所定期間は、画像データから画像を表示するための１水平期間あるいは１水平期間を分割して形成された１ブロック期間であることを特徴とする請求項１ないし４の何れか１項に記載の表示装置。
【請求項６】
前記駆動信号出力部は、画像データに対応した１水平期間のデータ信号を供給するためのソースドライバを１個以上有していると共に、前記所定期間は上記ソースドライバに対応するように１水平期間を分割した１ブロック期間であることを特徴とする請求項４記載の表示装置。
【請求項７】
前記変換機能部は、前記比較機能部での比較が一致したとき、前記表示を更新しないように、水平同期信号の出力を停止する第一停止手段を有していることを特徴とする請求項１ないし６の何れか１項に記載の表示装置。
【請求項８】
前記変換機能部は、前記比較機能部での比較が一致したとき、前記表示を更新しないように、クロック信号の出力を停止する第二停止手段を有していることを特徴とする請求項１ないし６の何れか１項に記載の表示装置。
【請求項９】
前記画像データによる画像を表示するための複数の水平走査線が、それらの長手方向に対し交差する方向に互いに隣り合うように仮想的に設定され、水平走査線毎に駆動されるようになっていることを特徴とする請求項１ないし８の何れか１項に記載の表示装置。
【発明の詳細な説明】
【技術分野】
【０００１】
本発明は、入力される画像データに応じて画像を表示するための制御回路や駆動回路を備えている、液晶表示装置といった表示装置に関するものである。
【背景技術】
【０００２】
従来、薄型化や軽量化が可能な表示装置として、液晶表示装置が知られている。液晶表示装置は、各液晶表示素子（各ピクセル）をマトリックス状に、例えば1024×768 ドット（ＸＧＡ）に配列されて有し、各水平走査線（1024ドット）である各ラインに、対応する画像データがそれぞれ入力されて画像を表示できるようになっている。
【０００３】
このような液晶表示装置では、１ライン前の画像データと現在のラインの画像データを比較し、その比較結果により、不一致ならば現在のラインの画像データを出力し、一致ならば１ライン前の画像データを復元して表示する機能により制御回路（駆動回路）の動作を低減し消費電力を抑えることが、例えば、特許文献１に開示されている。特許文献１では、１ライン前の画像データと現在転送しようとしている画像データとを比較している。
【特許文献１】特開２００２−１４９１２２（公開日：２００２年５月２４日）
【発明の開示】
【発明が解決しようとする課題】
【０００４】
しかしながら、上記従来の構成では、表示装置の大画面化、高精細化に対応するため、クロック周波数が増加すると、表示のための画像データにおける出力信号の周波数も増加するため、この部分での消費電力が増加する。また、画像データの切り替えが早くなるために信号出力部および信号伝播回路において他の装置に悪影響を与える電波の不要輻射（ＥＭＩ：ElectroMagnetic Interference）の強度が高まる。
【０００５】
このため、従来は、１ライン前の画像データと現ラインの画像データを比較し、その比較結果により、不一致ならば現在のラインの画像データを出力し、一致ならば１ライン前の画像データを復元して表示する機能により制御回路の動作を低減し消費電力を抑え、また、画像データの切り替え速度をていげんして不要複写による悪影響も軽減する方法が知られている。
【０００６】
また、従来方法では、参照しようとする画像データを任意に設定することができないため、予め決めた参照画像データと現ラインとのデータ比較に対しては、制御回路の動作を低減し消費電力を抑えることが不可能である。
【課題を解決するための手段】
【０００７】
本発明に係る表示装置は、上記課題を解決するために、入力される画像データに対応して表示するための表示装置において、予め定めた参照対象となる参照画像データと、表示しようとする画像データとについて、所定期間で比較する比較機能部と、上記比較が一致した場合は表示を更新しない非更新用データを出力する変換機能部とを備えていることを特徴としている。
【０００８】
上記構成によれば、上記比較が一致した場合は表示を更新しない非更新用データを出力するので、画像を表示するための回路の動作を低減できて、上記回路の消費電力を抑える効果を有する。
【０００９】
上記表示装置では、さらに、前記参照画像データを比較機能部に入力するための入力機能部を備えていてもよい。
【００１０】
上記構成によれば、上記入力機能部を備えたことで、参照画像データを比較機能部に対し確実に入力できて、画像を表示するための回路における動作の低減による上記回路の消費電力を抑える効果をより確実化できる。
【００１１】
上記表示装置においては、さらに、前記表示しようとする画像データを遅延させて変換機能部に入力するための遅延機能部を備えていてもよい。
【００１２】
上記構成によれば、遅延機能部を備えることで、遅延させた画像データが入力される変換機能部において、一致しない場合に遅延させた画像データを更新する表示データとして出力することを容易化できて、上記回路の消費電力を抑える効果をより確実化できる。上記の一致しない場合に遅延させた画像データを更新する表示データとして出力する構造は、変換機能部内に入力された比較機能部からの比較結果の出力を用い、比較結果が一致しない場合には、遅延させた画像データを更新する表示データとして出力する構造で実現できる。これは、例えば、変換機能部内に入力された、比較機能部からの比較結果の出力と、変換機能部内に入力された、遅延させた画像データとを、例えば、アンド回路やインバータ回路等を組み合わせて構成することが可能である。
【００１３】
上記表示装置では、前記変換機能部から出力される画像データを使用して画像データ信号を作成し、上記作成された画像データ信号に基づき画像表示のための駆動信号を出力するための駆動信号出力部と、上記駆動信号出力部から出力される駆動信号に応じて画像を表示する表示機能部とを備えていてもよい。
【００１４】
上記表示装置においては、前記所定期間は、画像データから画像を表示するための１水平期間あるいは１水平期間を分割して形成された１ブロック期間であってもよい。
【００１５】
上記表示装置では、前記駆動信号出力部は、画像データに対応した１水平期間のデータ信号を供給するためのソースドライバを１個以上有していると共に、前記所定期間は上記ソースドライバに対応するように１水平期間を分割した１ブロック期間であってもよい。
【００１６】
上記構成によれば、所定期間を１水平期間あるいは１ブロック期間とすることで、表示を更新しない非更新用データを出力するか否かの比較を１水平期間内にできて、上記比較が画像表示に悪影響を付与することを回避できるので、画像の乱れを防止しながら上記画像を表示するための回路の消費電力を抑えることが可能となる。
【００１７】
上記表示装置においては、前記変換機能部は、前記比較機能部での比較が一致したとき、前記表示を更新しないように、水平同期信号の出力を停止する第一停止手段を有していてもよい。
【００１８】
上記構成によれば、第一停止手段を有していることで、更新しない非更新用データを出力することを容易化できて、上記画像を表示するための回路の消費電力を抑える効果をより確実化できる。
【００１９】
上記表示装置では、前記変換機能部は、前記比較機能部での比較が一致したとき、前記表示を更新しないように、クロック信号の出力を停止する第二停止手段を有していてもよい。
【００２０】
上記構成によれば、第二停止手段を有していることで、更新しない非更新用データを出力することを容易化できて、上記画像を表示するための回路の消費電力を抑える効果をより確実化できる。
【００２１】
上記表示装置においては、前記画像データによる画像を表示するための複数の水平走査線が、それらの長手方向に対し交差する方向に互いに隣り合うように仮想的に設定され、水平走査線毎に駆動されるようになっていてもよい。
【発明の効果】
【００２２】
本発明に係る表示装置は、以上のように、予め定めた参照対象となる参照画像データと、表示しようとする画像データとについて、所定期間で比較する比較機能部と、上記比較が一致した場合は表示を更新しない非更新用データを出力する変換機能部とを備えている構成である。
【００２３】
それゆえ、上記構成は、上記比較が一致した場合は表示を更新しない非更新用データを出力するので、画像を表示するための回路の動作を低減できて、上記回路の消費電力を抑えることが可能となるという効果を奏する。
【発明を実施するための最良の形態】
【００２４】
本発明の表示装置としての液晶表示装置に係る実施の各形態について図１ないし図６に基づいて説明すると以下の通りである。液晶表示装置における種々の表示方式のうち、高精細な表示を行える方式として、スイッチング素子にＴＦＴ（Thin Film Transistor：薄膜トランジスタ）を用いたアクティブマトリックス方式が知られている。
【００２５】
図２に示すように、上記アクティブマトリックス方式の液晶表示装置１１０は、液晶表示部（表示機能部）１１０ａと、それを駆動する液晶駆動装置としての液晶駆動回路（駆動信号出力部）１１０ｂとを備えている。
【００２６】
上記液晶表示部１１０ａは、ＴＦＴ方式の液晶パネル１０１を有している。液晶パネル１０１は、各画素（ピクセル）がマトリックス（格子）状に、例えば1024×768ドット（ＸＧＡ）にて配列されたものであり、画像データに基づき、水平走査線（ライン）毎に順次または間欠的に順次垂直方向に表示することで画像を表示できるようになっている。上記ＸＧＡの場合、水平走査線の数は計７６８本となり、一水平走査線は１０２４ドットとなる。上記各画素の数としては、必要に応じて、1280×1024ドット（ＳＸＧＡ）、1600×1200ドット（ＵＸＧＡ）、3200×2400ドット（2.7p/J）などが用いられる。
【００２７】
一方、上記液晶駆動回路１１０ｂには、ＩＣ（集積回路）からなるソースドライバ（駆動回路）１０３およびゲートドライバ１０４と、コントローラ（制御回路、駆動回路）１０５と、液晶駆動電源１０６とが搭載されている。
【００２８】
上記構成において、外部から入力された表示のための画像データは、上記コントローラ１０５を介してデジタル信号である表示データＤとしてソースドライバ１０３に入力される。ソースドライバ１０３は、入力された表示データＤを、時分割して、第１ソースドライバ〜第ｎソースドライバに対しそれぞれラッチし、その後、コントローラ１０５から入力される上記水平同期信号に同期してＤ／Ａ変換する。
【００２９】
このように時分割された表示データＤをＤ／Ａ変換して、階調表示用のアナログ電圧（以下、「階調表示電圧」と言う）であるアナログ表示データ信号が作成される。上記アナログ表示データ信号は、図示しないソース信号ラインを介して、液晶パネル１０１内における対応する上記液晶表示素子（各画素）にそれぞれ出力されている。
【００３０】
さらに、上記コントローラ１０５から、各ソースドライバ１０３へは、画像データ信号Ｒ、Ｇ、Ｂや、制御信号として水平同期信号（スタートパルス信号ＳＰやラッチ信号Ｌｓに相当）、クロック信号ｃｌｋが、また、ゲートドライバ１０４へは垂直同期信号や水平同期信号が出力されている。また、コントローラ１０５は、Ｉ／Ｏ回路、画像データを格納するための表示ＲＡＭ、上記各種の制御信号のための生成回路や出力回路等も備えている。
【００３１】
その上、コントローラ１０５は、図１に示すように、比較回路１１と、遅延回路１２と、データ変換回路１３とを備えている。比較回路１１には、参照対象となるラインデータである参照画像データ１と、現ラインに対応した画像データである画像データ２とが入力される。
【００３２】
上記参照画像データ１については、特に記載されていないが、上記コントローラ１０５において格納する機能を備えておき、この格納機能に対し参照するための所定の画像データを予め格納し、この格納された上記画像データを参照画像データ１としてもよい。また、上記参照画像データ１を、上記コントローラ１０５の外部から入力されるように設定してもよい。後者の場合、本液晶表示装置内に参照画像データ１を記憶する記憶回路を備え、その記憶回路からの出力を参照画像データ１としてもよい。
【００３３】
このように予め定めた参照対象となる参照画像データ１についての具体例の一例としては、携帯電話機のメニュー画面等で、下地に対して、幾つかの選択肢として文字および図が描かれている場合が挙げられる。上記場合では、選択肢以外の部分は下地であり、下地は通常、視認性を高めるために単色となっている場合が多い。この下地の部分の表示データを書き換える必要は無いので、ソースドライバ１０３に対し、上記の部分の表示データを更新しないような信号を作って入力すればよい。
【００３４】
例えば、下地を青色にしようとする際に、今から表示しようとする水平ラインの１〜５番目の画素までは、赤色で、後の残りは青色とする場合では、参照画像データ１として１ライン分を全て青色とする。これに対し、入力される画像データは、１〜５番目まで赤色で、後の残りは青色である。１〜５番目までは、赤色にデータ更新するが、後の残りは青色のままでデータ更新する必要がない。もちろん、単色パターンでなくても、条件に合った参照画像データ１を設定できるようにすれば、対応可能である。
【００３５】
そして、比較回路１１では、それぞれ入力された参照画像データ１と画像データ２とを比較し、上記両データが互いに一致するか否かを調べる。比較は、ライン全部の比較でもよいし、１ドット以上の特定の部分（ブロック）であってもよい。以下では、説明を簡素化するために１ライン全ての比較の場合として説明する。
【００３６】
続いて、比較回路１１では、その比較結果を比較出力信号４として出力する。比較出力信号４はデータ変換回路１３に入力される。なお、データ変換回路１３は、詳細には図示されていないが、クロック信号生成回路、水平同期信号生成回路を含んでおり、画像データ５は、画像データ信号と水平同期信号とクロック信号とを含んだ信号である。
【００３７】
一方、画像データ２は遅延回路１２を経て遅延した画像データ３としてデータ変換回路１３に入力される。データ変換回路１３では、比較結果である比較出力信号４が不一致である信号であれば、画像データ３を画像データ５としてソースドライバ１０３へ出力する。一致していれば、そのラインに対応した現ラインデータを特定の値として出力するか、あるいは画像データでない信号に置き換えて出力する。
【００３８】
図３は、上記液晶表示装置の駆動回路における、画像表示に使用する主要な信号を説明する各波形図（各タイミングチャート）である。図３において、信号３１は垂直同期信号、信号３２は水平同期信号、ｃｌｋ３３は画像データ３４の同期を取るためのクロックである。水平同期信号３２のスタートから画面の画素位置に合致した画像データ３４がそれぞれ出力される。
【００３９】
図４は、本駆動回路により、図１に示す参照対象となる参照画像データ１と現ラインデータである画像データ２とが一致した場合の実施例を示す各波形図である。この実施例では、現ラインの画像データ２は出力されず、特定値あるいは非画像データ（図４の３４−１の右側部分（つまり、水平同期信号の２個目の信号３４のスタート以降））を非更新用データとして出力する。これにより、データ信号の変動が減少するため、参照画像データに対応する画像データの表示において、駆動回路の消費電力の低減が図れる。
【００４０】
図５は本駆動回路により、参照対象となる参照画像データ１と現ラインデータである画像データ２が一致した場合の図４とは別の実施例である。この実施例では、一致した場合、水平同期信号３２−１に示すように、一致したことが判明した直後の水平同期のための信号パルスが画像データ５の信号において、非更新用データとして出力されないようになっている（図５中の信号３２−１の中央部を参照）。このため、データ変換回路１３には、上記一致したことを示す比較出力信号４が入力されると、水平同期信号の出力を停止する第一停止手段が設けられている。上記第一停止手段に関しては、ラッチ回路やアンド回路やインバータ回路等を組み合わせることで構成することが可能である。
【００４１】
よって、上記中央部では、水平同期信号（ソースドライバ１０３のスタートパルス信号やラッチ信号に相当）がないこと（非更新用データとして出力されること）から、ソースドライバ１０３では前にラッチされた画像データが保持されている。
【００４２】
この例では、現ラインの画像データ２は出力されず、特定値あるいは非画像データを出力しデータ信号の変動が減少するため、参照画像データに対応する画像データの表示において本駆動回路の消費電力の低減が図れる。
【００４３】
図６は、本駆動回路における、図４、図５とは別な実施例である。この実施例では、ｃｌｋ３３が出力されないことが非更新用データとなっている。このため、データ変換回路１３には、前記一致したことを示す比較出力信号４が入力されると、次の水平同期信号からさらに次の水平同期信号との間のｃｌｋ３３の出力を停止する第二停止手段が設けられている。上記第二停止手段に関しては、ラッチ回路やアンド回路やインバータ回路等を組み合わせることにより構成することが可能である。
【００４４】
よって、本実施例においては、ｃｌｋ３３であるクロック信号がない期間、ソースドライバ１０３では前にラッチされた画像データが保持されている。また、特定値あるいは非画像データを出力するため、データ信号の変動が減少し、参照画像データに対応する画像データの表示において駆動回路の消費電力の低減が図れる。
【００４５】
なお、本発明は、液晶表示装置には限らず、水平走査線毎に画像データを入力して画像を表示できる表示装置に適用でき、プラズマディスプレイ装置やＥＬ表示装置等の表示装置のコントロール（駆動）回路に有効である。また、本発明は、携帯電話の待ち受け表示（静止画像）等の固定パターン表示に有効である。
【産業上の利用可能性】
【００４６】
本発明の表示装置は、画像データが変化しないときには、その画像データを更新しないので、上記更新のための制御を低減できて、制御回路（駆動回路）での消費電力を軽減できて、省電力化できるので、液晶表示装置といった表示装置の分野や、表示装置を備えた携帯電話などの小型通信機の分野に好適に利用できる。
【図面の簡単な説明】
【００４７】
【図１】本発明の表示装置としての液晶表示装置のコントローラの要部回路図である。
【図２】上記液晶表示装置の回路ブロック図である。
【図３】上記コントローラにおける各構成での制御の一例を示す各タイミングチャートである。
【図４】上記コントローラにおける各構成での制御の他の例を示す各タイミングチャートである。
【図５】上記コントローラにおける各構成での制御のさらに他の例を示す各タイミングチャートである。
【図６】上記コントローラにおける各構成での制御のさらに他の例を示す各タイミングチャートである。
【符号の説明】
【００４８】
１１    比較回路（比較機能部）
１２    遅延回路（遅延機能部）
１３    データ変換回路（変換機能部）
【図１】
2006126353.tif 000003
【図２】
2006126353.tif 000004
【図３】
2006126353.tif 000005
【図４】
2006126353.tif 000006
【図５】
2006126353.tif 000007
【図６】
2006126353.tif 000008